(57)【要約】【課題】室内機側のドレン排出口に対するドレンホースの接続口の抜け外れを確実に防止できるようにしたドレンホースの接続部構造を提供する。【解決手段】ドレンホース３とドレン排出口２との接続部構造であって、ドレンホース３の接続口４には外側から合成樹脂製のソケット８が嵌め込まれ、このソケット８の内面の周方向複数箇所に形成されている爪９が接続口４の付け根部の周方向複数箇所に形成されている係合凹部１０に係合して接続口４からのソケット８の抜け外れが防止されるように構成され、またソケット８の前記嵌り口とは反対側の先端にはドレン排出口２の挿入口１１が形成されており、この挿入口１１の周囲一箇所は切除されて開放しており、さらにソケット８の軸心方向の中央部外面には前記切除された開放部１２に対向してドレン排出口２に対するドレンホース３の外れ防止手段１３が連設されている。【選択図】図６
2011117691.tif 000002
【特許請求の範囲】
【請求項１】
長さ方向一端にドレン排出口との接続口が一体に形成され、長さ方向他端に延長ホースへの接続用差し口が一体に形成され蛇腹状の形で自在に曲がるように構成されてなるドレンホースとドレン排出口との接続部構造であって、前記接続口の内部にはリング状のシール材が嵌め込まれ、また接続口には外側から合成樹脂製のソケットが嵌め込まれ、このソケットは接続口に対し接続口の先端側より嵌り、その嵌り口の内面の周方向複数箇所に形成されている爪が接続口の付け根部の周方向複数箇所に形成されている係合凹部に係合して接続口からのソケットの抜け外れが防止されるように構成され、またソケットの前記嵌り口とは反対側の先端にはドレン排出口の挿入口が形成されており、この挿入口の周囲一箇所は切除されて開放しており、さらにソケットの軸心方向の中央部外面には前記切除された開放部に対向してドレン排出口に対するドレンホースの外れ防止手段が連設されていることを特徴とするドレンホースの接続部構造。
【請求項２】
外れ防止手段はソケットの外面から突出する弾性繋ぎ片と、この弾性繋ぎ片に繋がり一端側に操作片を有し、他端側に係止爪片を有する係止部とからなり、前記係止爪片が前記開放部に対向するように作られており、ソケットの挿入口より挿入されたドレン排出口がドレンホースの接続口に圧入された状態でドレン排出口の外面に形成されている凸部がソケットの開放部に位置するように構成され、前記係止部の係止爪片を操作片の操作により凸部に係止させるようにしたことを特徴とする請求項１記載のドレンホースの接続部構造。
【発明の詳細な説明】
【技術分野】
【０００１】
本発明は、例えば空気調和機の室内機などのドレン排出口に対するドレンホースの接続部構造に関するものである。
【背景技術】
【０００２】
従来からドレン排出口に対するドレンホースの接続部構造としては例えば特許文献１に開示されているようにドレンホースの接続口を室内機側のドレン排出口に外嵌させるようにしたものが一般的である。
【先行技術文献】
【特許文献】
【０００３】
【特許文献１】特開２０００−１６１７０２号公報
【発明の概要】
【発明が解決しようとする課題】
【０００４】
上記特許文献１に開示されているドレン排出口に対するドレンホースの接続はドレンホースの接続口を室内機側のドレン排出口に外嵌させているだけであり、室内機設置工事の際、曲がっているドレンホースを真っ直ぐになるように戻すためにドレンホースを引っ張った際、ドレンホースの接続口が室内機側のドレン排出口から抜け外れるという問題があった。
【０００５】
本発明の目的は、このような課題を解決するものであり、室内機側のドレン排出口に対するドレンホースの接続口の抜け外れを確実に防止できるようにしたドレンホースの接続部構造を提供することにある。
【課題を解決するための手段】
【０００６】
本発明の請求項１に記載のドレンホースの接続部構造は、長さ方向一端にドレン排出口との接続口が一体に形成され、長さ方向他端に延長ホースへの接続用差し口が一体に形成され蛇腹状の形で自在に曲がるように構成されてなるドレンホースとドレン排出口との接続部構造であって、前記接続口の内部にはリング状のシール材が嵌め込まれ、また接続口には外側から合成樹脂製のソケットが嵌め込まれ、このソケットは接続口に対し接続口の先端側より嵌り、その嵌り口の内面の周方向複数箇所に形成されている爪が接続口の付け根部の周方向複数箇所に形成されている係合凹部に係合して接続口からのソケットの抜け外れが防止されるように構成され、またソケットの前記嵌り口とは反対側の先端にはドレン排出口の挿入口が形成されており、この挿入口の周囲一箇所は切除されて開放しており、さらにソケットの軸心方向の中央部外面には前記切除された開放部に対向してドレン排出口に対するドレンホースの外れ防止手段が連設されていることを特徴とする。
【０００７】
請求項２に記載のドレンホースの接続部構造は、外れ防止手段はソケットの外面から突出する弾性繋ぎ片と、この弾性繋ぎ片に繋がり一端側に操作片を有し、他端側に係止爪片を有する係止部とからなり、前記係止爪片が前記開放部に対向するように作られており、ソケットの挿入口より挿入されたドレン排出口がドレンホースの接続口に圧入された状態でドレン排出口の外面に形成されている凸部がソケットの開放部に位置するように構成され、前記係止部の係止爪片を操作片の操作により凸部に係止させるようにしたことを特徴とする。
【発明の効果】
【０００８】
以上のように、本発明のドレンホースの接続部構造は、ソケットの挿入口より挿入されたドレン排出口がドレンホースの接続口に圧入された状態でドレン排出口に対するドレンホースの外れ防止操作を行なうことにより、ドレンホースはドレン排出口から外れる方向に力が掛かってもドレン排出口から抜け外れることがなくなる。また、ドレン排出口はドレンホースの接続口の内部のリング状のシール材に圧入されるようになっており、ドレン排出口とドレンホースとの間のシール性を得ることができる。特に、外れ防止手段をソケットの外面から突出する弾性繋ぎ片と、この弾性繋ぎ片に繋がり一端側に操作片を有し、他端側に係止爪片を有する係止部とから構成し、前記係止爪片が前記開放部に対向するように構成し、ソケットの挿入口より挿入されたドレン排出口がドレンホースの接続口に圧入された状態でドレン排出口の外面に形成されている凸部がソケットの開放部に位置するように構成し、前記係止部の係止爪片を操作片の操作により凸部に係止させるという簡単な操作により、ドレン排出口に対するドレンホースの接続が完了し、これにより、ドレンホースはドレン排出口から外れる方向に力が掛かってもドレン排出口から抜け外れるのを確実に防止することができる。
【図面の簡単な説明】
【０００９】
【図１】本発明の一実施の形態におけるドレンホースの接続部構造に用いられるドレンホース、シール材、ソケットの分解斜視図である。
【図２】同ドレンホースの接続口の内部にシール材を嵌め込み、接続口の外側にソケットを嵌め込んだ状態を示す斜視図である。
【図３】同ドレンホースの接続口とシール材およびソケットとの関係を示す断面図である。
【図４】同室内機側のドレン排出口にドレンホースを繋いだ状態を示す概略側面図である。
【図５】同ドレン排出口とドレンホースとの接続部を示す要部拡大斜視図である。
【図６】同ドレン排出口とドレンホースとの接続部を示す要部拡大断面図である。
【発明を実施するための形態】
【００１０】
以下、本発明の一実施の形態を、図１〜図６を用いて具体的に説明する。
図において、１は室内の壁面に取り付けられる空気調和機の室内機で、この室内機１から突出するドレン排出口２には可撓性を有する合成樹脂製のドレンホース３が接続されるようになっている。このドレンホース３は蛇腹状の形で自在に曲がるように構成されている。ドレンホース３の長さ方向一端には前記ドレン排出口２との接続口４が一体に形成されており、ドレンホース３の長さ方向他端には延長ホース（図示せず）への接続用差し口５が一体に形成されている。そして、前記ドレンホース３は長さ方向一端の接続口４および長さ方向他端の接続用差し口５を除いて円筒形状の発砲合成樹脂製断熱材６で覆われる。
【００１１】
ところで、前記ドレンホース３の長さ方向一端の接続口４の口径はドレン排出口２を嵌入させるためにドレン排出口２の外径に合うように定められ、この接続口４の内部にゴム製のリング状のシール材７が嵌め込まれ、また接続口４には外側から合成樹脂製のソケット８が嵌め込まれる。詳しくは、ソケット８は接続口４に対し接続口４の先端側より嵌り、その嵌り口の内面の周方向複数箇所に形成されている爪９が接続口４の付け根部の周方向複数箇所に形成されている係合凹部１０に係合して接続口４からのソケット８の抜け外れが防止されている。また、ソケット８の嵌り口とは反対側の先端にはドレン排出口２の挿入口１１が形成されており、この挿入口１１の周囲一箇所は切除されて開放している。１２はその開放部である。さらに、ソケット８の軸心方向の中央部外面には前記切除された開放部１２に対向してドレンホース３の外れ防止手段１３が連設されている。この外れ防止手段１３はソケット８の外面から突出する弾性繋ぎ片１４と、この弾性繋ぎ片１４に繋がり一端側に操作片１５を有し、他端側に係止爪片１６を有する係止部１７とからなり、前記係止爪片１６が前記開放部１２に対向するように作られている。
【００１２】
上記したようにドレンホース３の接続口４に外嵌されて取り付けられたソケット８には挿入口１１よりドレン排出口２が挿入されてドレン排出口２がドレンホース３の接続口４に圧入され、かかる状態でドレン排出口２の外面に形成されている凸部１８がソケット８の開放部１２から突出した状態で開放部１２に位置するように構成されており、前記係止部１７の係止爪片１６を操作片１５の操作により凸部１８に係止させることによりドレン排出口２に対するドレンホース３の接続が完了する。これにより、ドレンホース３はドレン排出口２から外れる方向に力が掛かってもドレン排出口２から抜け外れることがなくなる。
【産業上の利用可能性】
【００１３】
本発明のドレンホースの接続部構造は、例えば空気調和機の室内機などのドレン排出口に対しドレンホースが外れる方向に力が掛かってもドレン排出口からドレンホースが抜け外れることがないようにしたドレンホースの接続部構造である。
【符号の説明】
【００１４】
１    室内機
２    ドレン排出口
３    ドレンホース
４    接続口
５    接続用差し口
６    発砲合成樹脂製断熱材
７    シール材
８    ソケット
９    爪
１０    係合凹部
１１    挿入口
１２    開放部
１３    外れ防止手段
１４    弾性繋ぎ片
１５    操作片
１６    係止爪片
１７    係止部
１８    凸部
【図１】
2011117691.tif 000003
【図２】
2011117691.tif 000004
【図３】
2011117691.tif 000005
【図４】
2011117691.tif 000006
【図５】
2011117691.tif 000007
【図６】
2011117691.tif 000008